(57)【要約】【目的】簡易構造でありながらメガホンとしての機能と拍子木としての機能を備え、且つ製造コストが安く上がるような、応援用メガホンを提供する。【構成】拡声部の壁面に、その長手方向へスリットを設けて成るメガホンであり、手で拡声部の壁面を打撃すると、その勢いによって前記スリットの両縁部が互いに打ち合って打撃音を発するものである。【選択図】      図１
2004280037.tif 000002
【特許請求の範囲】
【請求項１】
拡声部の壁面にその長手方向へスリットを設けたことを特徴とする応援用メガホン。
【請求項２】
前記スリットは、前記拡声部の拡声口に達するものである、請求項１に記載の応援用メガホン。
【請求項３】
前記スリットは、前記拡声部の拡声口に達していないものである、請求項１に記載の応援用メガホン。
【請求項４】
前記壁面の、前記スリットの前記拡声口側の端部と拡声口との間に伸縮部が設けられている、請求項３に記載の応援用メガホン。
【請求項５】
前記スリットの両縁部の肉厚が他の壁面部よりも大きいものである、請求項１に記載の応援用メガホン。
【請求項６】
前記スリットの両縁部に互いに打ち合うことが可能な鍔部が形成されている、請求項１に記載の応援用メガホン。
【請求項７】
前記スリットは、前記壁面の長手方向へ設けられた凸条部の中心部に、その長手方向へ向け切り込みが入れられて成るものである、請求項１に記載の応援用メガホン。
【請求項８】
前記凸条部の中心部が鋭角に形成されている、請求項７に記載の応援用メガホン。
【請求項９】
前記スリットは、前記壁面の長手方向へ設けられた凹条部の中心部に、その長手方向へ向け切り込みが入れられて成るものである、請求項１に記載の応援用メガホン。
【請求項１０】
前記凹条部の中心部が鋭角に形成されている、請求項９に記載の応援用メガホン。
【発明の詳細な説明】
【０００１】
【発明の属する技術分野】
この発明は、拡声部の壁面を手で打撃することによって音を発生させることが出来るような応援用のメガホンに関する。
【０００２】
【従来の技術】
従来より拡声筒を拍子木として使用することが可能なメガホンがある。例えば実開昭６３−２４６００号は、半円錐形状の２個の対称形のメガホンを向い合わせ、１点にてヒンジによって開閉自在に連結して成り、拡声器としての利用と共に、２個のメガホンをヒンジから開閉させて、拍子木のように打撃音を発生させることが出来ると言うものである。また特開平８−５０４８８は、複数個の拡声筒が並設されており、複数個の拡声筒はその後部に共用される１個の吹き口部を有し、複数個の拡声筒は打撃により互いを打ち合うように設けられて成るものである。
【０００３】
【発明が解決しようとする課題】
これ等は、メガホンとしての用途と共に拍子木としての用途を有し、スポーツ観戦にはとても便利でなくてはならないものと成っている。しかしながら拍子木として使用出来るようにするために、構造が複雑で部品点数も多くなっており、その結果単純な構造のメガホンに比してコストが高く成るなどの問題がある。
【０００４】
拡声部とその後部の吹き口部とからなる単純な構造のメガホンがあるが、このような構成のメガホンに拍子木としての機能を取り付けることが出来ればどんなに良いであろうか。この発明は上述したような問題点を解決し、簡易構造でありながらメガホンとしての機能と拍子木としての機能を備え且つコストが安く成るような応援用メガホンの提供を課題とする。
【０００５】
【課題を解決するための手段及び作用】
上記課題は、拡声部の壁面にその長手方向へスリットを設けたメガホンとすることにより達成される。メガホン自体は吹き口部で声を出すことによって拡声の作用を生ずる。スリットの形成個数であるが、これは１以上の任意個数が可能であるが、１つまたは２つ程度が製造面などから見て好適である。
【０００６】
前記スリットとは、拡声部の壁面に設けられた切れ込みのことである。従ってメガホンの吹き口部を片方の手で持ち、もう一方の手で拡声部の壁面を打撃すると、その勢いにより前記スリットの両縁部が互いに打ち合って打撃音を発するのである。なおスリットの幅に付いては、その両縁部が互いに打ち合い得る程度であれば特に限定されない。スリットさえ空いていれば、その両縁部が接しているような状態であっても、打撃により音を発生することが分かっている。
【０００７】
次に、スリットは拡声部の拡声口にまで達するように設ける場合とそうでない場合とがある。前者の場合には打撃によってスリットの両縁部が比較的強く打ち合い、比較的大きな音を立てることができる。後者の場合でも打撃によってスリット回りが打ち合うため音を発生する。なお特に後者では携帯時や打撃時に於ける拡声部の壁面の変形が少なくなると言う効果がある。この壁面の潰れや変形の度合いは前者では拡声部の形状や素材によって異なることが分かっている。拡声部が潰れてスリットの両縁部が重なり合うこともある。しかしながら後者では、変形の作用そのものが生じ難いのであり、発生する音もガチャガチャ音ではなくより軽快な音になるなどの作用効果がある。
【０００８】
なお後者のメガホンに於いて、前記壁面の前記スリットの前記拡声口側の端部と拡声口との間に伸縮部が設けられているものでは、打撃時にスリットの両縁部が打ち合う際にこの伸縮部が縮まることによって、この両縁部の打ち合いがより行なわれやすくなる作用効果がある。当該伸縮部は、この部位のみ素材を伸縮性のあるものにしたり、蛇腹のような伸縮する構造にすることなどにより実現可能である。あるいは請求項２のメガホンに於けるスリットの前記拡声口側の両縁部間に伸縮素材を挟み込むことによっても実現可能である。
【０００９】
次に、前記スリットの両縁部の肉厚が他の壁面部よりも大きいものとすることが出来る。前記スリットの両縁部が拡声部の壁面と同じ肉厚であるよりも、幾分なりとも厚みがあるほうが打撃がより確実なものとなる。
【００１０】
また、前記スリットの両縁部に互いに打ち合うことが可能な鍔部が形成されているものとすることが出来る。前記鍔部同士は、恰かも両手を打ち合う拍手のように打ち合うため、打撃がより確実でより大きな音を立てることが出来る。
【００１１】
また、前記スリットは、前記壁面の長手方向へ設けられた凸条部の中心部に、その長手方向へ向けて切り込みが入れられて成るものとすることが出来る。
【００１２】
前記スリットをその両縁部間に僅かに隙間が出来るように形成するには、例えば前記壁面の長手方向へ凸条部を設けるように成型し、この凸条部の両側の立ち上げ部をカッターナイフなどでえぐるように切断して凸条部を除去するようにすれば、その跡には目的のスリットが形成されるのである。これはこれで良いのであるが、前記凸条部の両側に対して、カッターナイフなどでえぐると言う作業が要請されるので、更に工程を簡単なものにするには次のようにすれば良い。すなわち、凸条部の中心部にその長手方向へ向けて切り込みを入れて成るものとするのである。
【００１３】
なお更に、前記凸条部の中心部が鋭角に形成されているものとすることが出来る。この鋭角に形成されている部分にカッターナイフを刺し入れ、ここに添って切れ込みを入れて行けば、前記鋭角部分がガイドの役目を担って一条のスリットが形成される。従って前記凸条部の両側をぐるりとえぐらずとも、前記凸条部の中心部に一本の切れ込みを入れるだけであるから、作業が極めて楽でありコストにも影響してくる。なお前記凸条部の中心部が鋭角に形成されているため、ここがカッターナイフをガイドする役目を担う。
【００１４】
また、前記スリットは、前記壁面の長手方向へ設けられた凹条部の中心部に、その長手方向へ向け切り込みが入れられて成るものとすることが出来る。これは前記前記凸条部とは反対側（拡声部の壁面の内側方向）への凸条部と言うことになるが、カッターナイフなどでえぐる作業を行なった結果は、上述した凸条部の場合と一緒である。
【００１５】
しかしながら、前記凹条部の中心部が鋭角に形成されているものとした場合では、この鋭角に形成されている部分に添って一条の切れ込みを入れて行けばスリットが形成される点は同一であるものの、スリットがある凸条部が拡声部の壁面の内側へ向き、拡声部の壁面の外側へは出て来ないため、比較的見た目が良いと言う利点がある。
【００１６】
【発明の実施の形態】
以下、本発明の実施形態に付き、図面に基づいて説明するが、本発明はこれらの実施形態にのみ限定されるものではない。なおこれらの実施形態に於ける要部である拡声部や吹き口部は合成樹脂成型により成型されている例である。
【００１７】
（第１実施形態）
図１はこの実施形態を斜視図で表わしたものである。前方に向けて末広がりと成る円筒形の拡声部１と、後方へ向けて末広がりと成る円筒形の吹き口部１２とを円筒形の握り部１０でつなげたような形状の、合成樹脂一体成型に成るものである。この拡声部１の壁面にその長手方向（吹き口部１２から拡声口１１へ向かう方向）へ向けて、拡声口１１にまで達するスリット１３を形成した。なおこのスリット１３は、拡声部１の壁面をカッターナイフで切り込んで付けたものである。なおこの実施形態では拡声口１１を補強のために肉厚に成型している。
【００１８】
このメガホンの握り部１０を片手で握って、もう一方の手で拡声部１の壁面を打撃すると、その勢いにより前記スリット１３の両縁部が互いに打ち合って打撃音を発する。この時の打撃の位置であるが、前記スリット１３からは略４回対称と成る各部位の内、前記スリット１３から略９０度の位置、すなわち図１で言えば上方向または下方向の拡声部１の壁面と言うことに成る。スリット１３は拡声部１の壁面を切り込んで付けただけのものであるから、スリット１３の両縁部分は互いに付かず離れずのような状態ではあるが、打撃の弾みにより、互いに打ち合って音を発生し、これが拡声部１に伝わって響くように聞こえる。なおこのようなスリット１３を２回対称の位置にもう１つ付けたり、３回対称の位置にもう２つ付け加えるなども可能である。なお当然ながら前記吹き口部１２に口を近付けたり接触させたりして、メガホンとして使用することが出来る。
【００１９】
（第２実施形態）
図２はこの実施形態を斜視図で表わしたものである。この実施形態のメガホンはその殆どの構成を上述した第１実施形態に倣うものであるが、拡声部１の壁面の２回対称の位置に設けた２つのスリット１４の構成が特徴的である。このスリット１４の幅、すなわち両縁部間の距離を５ミリメートルほど取っている。
【００２０】
図２の上方向または下方向からの打撃の勢いによって、スリット１４の両縁部間が打ち合い音を発するのである。このように数ミリメートルの隙間がある場合もスリットであり、打撃の衝撃でこのスリットの両縁部が互いに打ち合うことが出来る。
【００２１】
（第３実施形態）
図３はこの実施形態を縦断面図で表わしたものであり、この全体形状は野球のバットをデフォルメしたものと成っており、拡声部２とこれより径の小さい握り部２０との間を傾斜した筒でつなげたような形状を呈しており、拡声部２の前端部が拡声口２１に、また握り部２０の後端部が吹き口部２２に成っている。この横断面形状を模式的に表わしたものが図４であるが、前記拡声部２の壁面にその長手方向へ向けて、拡声口２１にまで達するスリット２３を、２回対称の位置に２つ形成すると共に、このスリット２３の両縁部に拡声部２の内側に向けて鍔部２４，２４を形成した。
【００２２】
なおこのメガホンでは図３、図４の上方向または下方向から打撃するが、打撃する部位の目安とすべく円形状の打撃部２５を設けている。またここには絵柄を入れたり、シールを貼ったりすることが出来る。
【００２３】
而して片手で握り部２０を握り、吹き口部２２に口を付けて発声すると、メガホンとしての作用を生ずるのであるが、もう一方の手で前記打撃部２５あたりを打撃することによって音を出すことが出来る。この時、スリット２３の両縁部に設けられている鍔部２４，２４同士が、恰かも両手を打ち合う拍手のように打ち合うため、打撃がより確実でより大きな音を立てることに成る。
【００２４】
（第４実施形態）
図５はこの実施形態を斜視図で表わしたものである。前方に向けて末広がりと成る円筒形の拡声部３と、後方へ向けて末広がりと成る円筒形の吹き口部３２とを円筒形の握り部３０でつなげたような形状の、合成樹脂一体成型に成るものである。この拡声部３の壁面にその長手方向へ向けて、前記拡声部３の中央部付近から拡声口３１の約２センチメートル手前まで延びるスリット３３を形成した。なおこのスリット３３は拡声部３の壁面をカッターナイフで切り込んで付けたものである。
【００２５】
このものは前記吹き口部３２を吹いてメガホンとして使用することが出来るのであるが、更にこのメガホンの握り部３０を片手で握りもう一方の手で拡声部３の壁面を打撃すると、その勢いによって前記スリット３３の両縁部が互いに打ち合って打撃音を発生する。この際スリット３３は前記拡声口３１にまで達していないが、打撃時の衝撃でスリット３３回りが打ち合うために音を発生するのである。この際に発生する音はガチャガチャ音ではなく、軽快な音である。また特にスリット３３が拡声口３１にまで達していないことにより、スリット３３の近くの壁面を打撃した場合に、拡声部３が潰れてスリット３３の両縁部の打ち合いが弱くなり、音が弱くなると言うようなことが起こらず、携帯時や打撃時に於ける拡声部３の壁面の変形が少なくなるという効果がある。なお前記スリット３３の側を打撃しても音を発生することが分かっている。
【００２６】
（第５実施形態）
図６はこの実施形態を斜視図で表わしたものである。この実施形態のメガホンはその殆どの構成を上述した第４実施形態に倣うものであるが、拡声部３の壁面の２回対称の位置に設けた２つのスリット３４の構成が特徴的である。このスリット３４の幅、すなわち両縁部間の距離を５ミリメートルほど取っている。なお第４実施形態と同様で、スリット３４が前記拡声口３１にまで達していない点も特徴である。
【００２７】
このように数ミリメートルの隙間がある場合もスリットであり、第４実施形態のものと同様、打撃の衝撃でこのスリット３４の両縁部が互いに打ち合うことが出来るのである。
【００２８】
（第６実施形態）
図７はこの実施形態のメガホンを縦断面図で表わしたものであり、その殆どの構成を上述した第３実施形態に倣うものであるが、拡声部４の壁面に設けたスリット４３の構成が特徴的である。すなわちこのスリット４３は、拡声口４に形成されたブリッジ４６の存在によって拡声口４１まで達していない。なお符号４７は拡声部４の周りのリブを指している。また符号４０は握り部を指し、符号４２は吹き口部を指している。
【００２９】
このような構成に於いても、打撃部４５などへの打撃によってスリット４３の回りが潰れて鍔部４４，４４同士が打ち合い、打撃音を発生するのである。なおブリッジ４６の部分だけ拡声部４とは異なる材料で構成することが出来る。例えば拡声部４よりも柔軟で弾力性に富む素材にするなどである。またスリット４３の全長が長いほど、スリット４３の回りが潰れやすくなる傾向がある。
【００３０】
（第７実施形態）
図８はこの実施形態の一部分である拡声部壁面５を拡大して表わしたものであり、拡声部壁面５の長手方向へ設けられた凹部５０の中心部に、その長手方向へ向けて切り込みが入れられて、スリット５１が形成されている。なお凹部５０は拡声部壁面５の内側に向けて突出している。
【００３１】
スリットを形成するのに、凹部５０の付け根をくり抜くのではなく、凹部５０の底部にカッターナイフを入れて切り裂くようにした。
【００３２】
（第８実施形態）
図９はこの実施形態の一部分である拡声部壁面６を拡大して表わしたものである（全体図は図１０を参照）。拡声部壁面６の長手方向へ向けて先端部が略Ｖ字形状に設けられた凹部６４の前記先端部に切り込みが入れられて、スリット６３が形成されている。なお凹部６４は拡声部壁面６の内側に向けて突出している。先端部が略Ｖ字形状に凹設された凹部６４は、カッターナイフによりここを切り裂く際のガイド性が良好である。また凹部６４はＶ字形状の先端部へ近付くほど肉薄と成っているため、切り裂きやすいという利点がある。
【００３３】
前記スリット６３が形成されたメガホンを図１０の斜視図で表わす。このものは前方に向けて末広がりと成る円筒形の拡声部壁面６と、後方へ向けて末広がりと成る円筒形の吹き口部６２とを、円筒形の握り部６０でつなげたような形状の合成樹脂一体成型に成るものである。この拡声部壁面６にその長手方向（吹き口部６２から拡声口６１へ向かう方向）へ向けて、前記拡声部壁面６の中央部付近から拡声口６１にまで達する凹部６４を形成し、この凹部６４の底部にカッターナイフを入れるようにして、拡声口６１の２センチメートル手前まで切り裂いてスリット６３を設けて成る。
【００３４】
この実施形態では、前記凹部６４は拡声口６１まで達するように形成されているが、前記スリット６３は拡声口６１の２センチメートル手前までであり、拡声口６１にまでは達していない点に特徴を有する。すなわちこの２センチメートルの間は略Ｖ字形状の凹部６４のみ形成された形と成っており、凹部６４には打撃の力が加わりやすく、蛇腹のように縮小しやすく、これにより一層効率的に前記スリット６３の両縁部を叩き合わせる。なお前記凹部６４は拡声部壁面６の外側から見ると凹部であって、拡声部壁面６の内側方向へ突出しているものであり、拡声部壁面６の外側へは出て来ていないため、比較的見た目が良いと言う利点がある。このことは上述した第７実施形態の凹部５０に付いても同様である。なお凹部６４を略Ｖ字形状ではなく略Ｕ字形状などとする構成も可能である。
【００３５】
（第９実施形態）
図１１はこの実施形態を斜視図で表わしたものである。前方に向けて末広がりと成る円筒形の拡声部壁面６と、後方へ向けて末広がりと成る円筒形の吹き口部６２とを、円筒形の握り部６０でつなげたような形状の合成樹脂一体成型に成るものであり、この拡声部壁面６にその長手方向へ向けて前記拡声部壁面６の中央部付近から拡声口まで達する凹部６４を形成し、この凹部６４の底部にカッターナイフを入れるようにして拡声口に至るスリット６５を設ける。そしてこの拡声口に補強筒６６を被せて成る。
【００３６】
この実施形態では、スリット６５は凹部６４と共に拡声口に至るまで形成されているが、拡声口に補強筒６６が被せられていることによって、スリット６５は実質的に補強筒６６の手前までしか形成されていないことに成る。従って上述した第４実施形態のメガホンと同様の作用効果を奏する。なお補強筒６６を設ける代わりに、この部位にビニールテープを捲き付ける構成も可能である。あるいは上述の第４実施形態や第５実施形態のメガホンの、拡声口近傍を外側に折り返すようにしても類似の構成を実現することが出来る。すなわち折り返し部の裏側にスリットの一部が隠れるように成る。
【００３７】
（第１０実施形態）
さて上述した第７及び第８実施形態では、凹部５０，６４を拡声部壁面５，６の内側に向けて突設していた。これに対してこの第１０実施形態及び次に説明する第１１実施形態では凸部７０，８０としている。すなわちこの第１０実施形態は、拡声部壁面７の長手方向へ設けられた凸部７０の中心部に、その長手方向へ向けて切り込みが入れられて、スリット７１が形成されている（図１２）。
【００３８】
なお前記凸部７０は拡声部壁面７の外側から見ると凸部であり、拡声部壁面７の外側方向へ突出しているものである。
【００３９】
（第１１実施形態）
図１３はこの実施形態の一部分である拡声部壁面８を拡大して表わしたものである。拡声部壁面８の長手方向へ向け先端部が略Ｖ字形状に設けられた凸部８０の前記先端部に切り込みが入れられて、スリット８１が形成されている。なお凸部８０は拡声部壁面８の外側に向けて突出している。
【００４０】
凸部８０の先端部が略Ｖ字形状に突設されており、先端部にカッターナイフを入れて切り裂く際のガイド性が良好であるという利点がある。
【００４１】
（第１２実施形態）
図１４はこの実施形態の一部分である拡声部壁面９を拡大して表わしたものであるが、この拡声部壁面９の長手方向へ向けて形成されたスリット９１の両縁部の肉厚が他の壁面部よりも大きい肉厚部９０と成っている点に特徴を有する。
【００４２】
この肉厚部９０の存在によって打撃がより確実なものと成り、音がよいと言う効果がある。
【００４３】
（その他）
なおこの他、スリットの両縁部に、拡声部とは異なる材料からなる互いに叩き遭う部材を付けることが出来る。例えば拡声部よりも硬い材料を用いるようにするなどである。メガホンの形状は円筒形に拘らないから、例えば角丸の方形などが任意に採用可能である。またメガホンの素材に関しても任意である。また拡声部と吹き口部とを別体として後から一体化するようにしてもよい。またメガホンに紐通しのための孔を設けることなども可能である。
【００４４】
またスリットが外側から見えなくなるように、スリットの上にビニール製等のシールを、このシールの中央部分がスリットに接着しないようにして、スリットの周縁部で拡声部の壁面に接着するなどの工夫が可能である。この構成によってもスリットからは打撃音を発生させることが出来る。
【００４５】
【発明の効果】
以上、この発明は、拡声部の壁面にスリットを設けただけの簡易構造でありながら、メガホンとしての機能と拍子木としての機能を備えると共にコストが安いと言う効果を奏して、所期の目的を達成することが出来た。
【図面の簡単な説明】
【図１】第１実施形態の斜視図である。
【図２】第２実施形態の斜視図である。
【図３】第３実施形態の縦断面図である。
【図４】同実施形態の横断面模式図である。
【図５】第４実施形態の斜視図である。
【図６】第５実施形態の斜視図である。
【図７】第６実施形態の縦断面図である。
【図８】第７実施形態の横断面一部模式図である。
【図９】第８実施形態の横断面一部模式図である。
【図１０】同実施形態の斜視図である。
【図１１】第９実施形態の斜視図である。
【図１２】第１０実施形熊の横断面一部模式図である。
【図１３】第１１実施形態の横断面一部模式図である。
【図１４】第１２実施形態の横断面一部模式図である。
【符号の説明】
１    拡声部
１０  握り部
１１  拡声口
１２  吹き口部
１３  スリット
１４  スリット
２    拡声部
２０  握り部
２１  拡声口
２２  吹き口部
２３  スリット
２４  鍔部
２５  打撃部
３    拡声部
３０  握り部
３１  拡声口
３２  吹き口部
３３  スリット
３４  スリット
４    拡声部
４０  握り部
４１  拡声口
４２  吹き口部
４３  スリット
４４  鍔部
４５  打撃部
４６  ブリッジ
４７  リブ
５    拡声部壁面
５０  凹部
５１  スリット
６    拡声部壁面
６０  握り部
６１  拡声口
６２  吹き口部
６３  スリット
６４  凹部
６５  スリット
６６  補強筒
７    拡声部壁面
７０  凸部
７１  スリット
８    拡声部壁面
８０  凸部
８１  スリット
９    拡声部壁面
９０  肉厚部
９１  スリット
【図１】
2004280037.tif 000003
【図２】
2004280037.tif 000004
【図３】
2004280037.tif 000005
【図４】
2004280037.tif 000006
【図５】
2004280037.tif 000007
【図６】
2004280037.tif 000008
【図７】
2004280037.tif 000009
【図８】
2004280037.tif 000010
【図９】
2004280037.tif 000011
【図１０】
2004280037.tif 000012
【図１１】
2004280037.tif 000013
【図１２】
2004280037.tif 000014
【図１３】
2004280037.tif 000015
【図１４】
2004280037.tif 000016
【手続補正書】
【提出日】平成16年5月24日(2004.5.24)
【手続補正１】
【補正対象書類名】明細書
【補正対象項目名】０００２
【補正方法】変更
【補正の内容】
【０００２】
従来より拡声筒を拍子木として使用することが可能なメガホンがある。例えば実開昭６３−２４６００号は、半円錐形状の２個の対称形のメガホンを向い合わせ、１点にてヒンジによって開閉自在に連結して成り、拡声器としての利用と共に、２個のメガホンをヒンジから開閉させて、拍子木のように打撃音を発生させることが出来ると言うものである。また特開平８−５０４８８は、複数個の拡声筒が並設されており、複数個の拡声筒はその後部に共用される１個の吹き口部を有し、複数個の拡声筒は打撃により互いを打ち合うように設けられて成るものである。
【特許文献１】
実開昭６３−２４６００号公報
【特許文献２】
特開平０８−５０４８８号公報